(57)【要約】【課題】電気又は電池をエネルギーとせず他の熱源を応用し遠赤外線放射発熱体を提供すること、特に可撓性を有するカーボン系抵抗体を加熱する遠赤外線放射発熱体を提供すること。【解決手段】織布にカーボン塗料を塗布又は含浸・乾燥した抵抗体の上下両側面を柔軟性樹脂で被着した遠赤外線放射抵抗体、又は樹脂セラミックスの遠赤外線放射体の片面にカイロに接着剤を具備した面を接着し形成されている可撓性遠赤外線放射発熱体とする。又電位・温熱治療器の電位と前記遠赤外線放射熱による温熱を作動させて電位・温熱の同時治療を可能とした。【選択図】図１
2008142491.tif 000002
【特許請求の範囲】
【請求項１】
カイロを熱源とした発熱体において、柔軟性織布にカーボン塗料を塗布又は含浸した抵抗体の片面又は両面に、柔軟性樹脂を被着してなる抵抗体の片面に、接着剤を具備したカイロを接着固定してなるカイロを熱源とする可撓性遠赤外線放射発熱体。
【請求項２】
カイロを熱源とした発熱体において、柔軟性樹脂セラミックスの片面に接着剤を具備したカイロを接着固定してなる可撓性遠赤外線放射発熱体。
【請求項３】
織布の両側縁部に電極帯を具備してなる基布に、カーボン塗料を塗布又は含浸し、軟質樹脂で両面被着してなるカーボン発熱体において、身体局部用治療装置として、電流による温熱療法と電位を負荷する電位療法を、家庭用でも又は自動車用でも１２Ｖから１００Ｖに変換し使用可能にすると共に、前記請求項１又は請求項２の遠赤外線熱を無コードで体感できるカイロを熱源とする遠赤外線放射熱と電位・温熱治療装置をペスト内部に内設し、電気治療とカイロ熱を交互に使用し、歩行可能にしてなる可撓性遠赤外線放射発熱体と電位・温熱との同時治療装置。
【発明の詳細な説明】
【技術分野】
【０００１】    本発明は、電気を熱源とした発熱装置と異なり、カイロを熱源とし、遠赤外線の７μ〜１５μの有効な波長を有する輻射熱を放射する可撓性発熱体に関する。
【背景技術】
【０００２】    本件のカイロは、鉄粉、水、活性炭、バーミクライト、高級水性樹脂、塩類、天然鉱石粉を原材料としたものである。ここで、今日までの問題点は、低温火傷があることであり、その解決策は今日まで無いことである。
更に本件採用のカーボン系発熱体も過去３０年間寝具等の家庭用医療器具として使用されており、温熱・電位の切替装置で交互治療器として使用されている。
このカーボン面発熱体に通電すると８μ〜１５μの波長を有する遠赤外線が放射している。【０００３】    この、可撓性カーボン発熱体は２０年前に本件発明者が米国特許を取得しており、現在に至っているが、寝具等に使用実績上いくつかの事故例はあった。その都度改良を重ねているが現在まで完全なカーボン発熱体は困難である。【０００４】    結局この種の発熱体には面状制御体として、感熱線、サーモスタット、温度ヒューズ等を組み合わせ商品化しているが、８０℃以上の温度で使用すると問題が多く発生する。
本発明の温熱治療に使用する最高温度は５０℃（こもり熱を含む）が適当であるのでカーボン発熱体でも十分対応できる。
【発明の開示】
【発明が解決しようとする課題】
【０００５】    本発明は身体に快適な温度をもたらすことを目的としている。主に身体背面の肩部、背中部、腰部を４５℃前後の温度で遠赤外線熱を放射する可撓性発熱体が好ましい。
又更に電気エネルギーを使わず無コードで歩行や運動ができる保温発熱体を目的としている。
本発明のその他の目的は、４０℃〜４５℃の温熱治療と１００Ｖのマイナス電位を負荷する電位治療が可能な装置を求めており、前記保温発熱体と電位治療を同時に治療することで治療効果を倍増させることを目的としている。
【課題を解決するための手段】
【０００６】    本発明は、電気を熱源にする代替品としてカイロに着目した。然し、最高発熱量が６３℃〜６９℃で低温火傷を発生させる所謂「快適さのない温度」の欠点がある。
本発明はこの問題を解決すると共に、医療機器である電位・温熱同時治療装置を提供する。具体的には、
請求項１の如く、カイロを熱源とした発熱装置において、柔軟性織布にカーボン塗料を塗布又は含浸した抵抗体の片面又は両面に、柔軟性樹脂を被着してなる抵抗体の片面に、接着剤を具備した発熱カイロを接着固定してなるカイロを熱源とする可撓性遠赤外線放射発熱体とした。
請求項２の如く、カイロを熱源とした発熱装置において、柔軟性樹脂セラミックスの片面に接着剤を具備したカイロを接着固定してなる可撓性遠赤外線放射発熱体とした。
請求項３の如く、織布の両側縁部に電極帯を具備してなる基布に、カーボン塗料を塗布又は含浸し、軟質樹脂で両面被着してなるカーボン発熱体において、身体局部用治療装置として、電流による温熱療法と電位を負荷する電位療法を、家庭用でも自動車用でも１２Ｖから１００Ｖに変換し使用可能にすると共に、前記請求項１又は請求項２の遠赤外線熱を無コードで体感できる遠赤外線放射発熱体と電位・温熱治療装置をベスト内部に内設し、電気治療とカイロ熱を交互に使用し、歩行可能にしてなる可撓性遠赤外線放射発熱体と電位・温熱との同時治療装置を提供する。
【発明の効果】
【０００７】      発熱カイロは省エネ対策で最も画期的な発明であるが、発明から今日まで更に効果の高い組み合わせの発明が見当たらなかった。現在発売されてるカイロの全品が低温火傷があるから直接肌に接触して使用しないよう注意事項が記載されている。
本発明は以上の問題を解決するため、可撓性カーボン抵抗体の片面にカイロを張り合わせカーボン抵抗体を通して放射する光線波長は、７μ〜１５μの波長で皮膚下４〜５印の深達性を有する最も有効で「まろやか」な体感温度を発することが出来る。【０００８】    断熱保温効果の高い銀とチタンを内設したベストの内側の肩部、背中部、腰部に設けたポケットに、前記請求項１又は請求項２のカイロを熱源とする遠赤外線放射発熱体と前記請求項３に記載の電位・温熱治療装置とをポケットに収納し、それぞれ取り付け取り外しが自由な構成にし、家庭内、自動車内、歩行中の温熱ができると共に、電位・温熱同時治療を可能にしたことで治療効果を倍増させた。
【発明を実施するための最良の形態】
【０００９】    本発明のカイロを熱源とした遠赤外線放射発熱体を有効に実施するには、断熱保温性の高いベスト内部にポケットを、肩部、背中部、腰部に設け、肌に接近させた可撓性遠赤外線放射発熱体にして前記ポケットに挿入することで、自由に運動も歩行もでき身体の保温を１５時間も使用可能にすることができる。
【実施例１】
【００１０】    図１は、可撓性遠赤外線放射発熱体Ａの構造を示す斜視図である。織布にカーボン塗料を塗布又は含浸した抵抗体ｂの上下面を軟質樹脂ａ、ａで被着した抵抗体の片面に接着剤Ｃー１を具備したカイロＣを張り合わせて遠赤外線放射発熱体Ａができる。【００１１】    遠赤外線放射発熱体Ａからの赤外分光放射輝度を測定したグラフを下記に示す。
2008142491.tif 000003
【００１２】    図２は、１００Ｖ電流による遠赤外線放射発熱体Ｂに電気配線装置をほどこした構造を示す斜面図である。織布の両側縁部に電極帯ｂー１、ｂー２を設けた基布に、カーボン塗料を塗布又は含浸した抵抗体ｂの上下面に柔軟性樹脂ａ、ａを被着し、発熱体Ｂを形成する。更に電極帯ｂー１、ｂー２の先端に電極端子ｂａ、ｂｂを具備すると共に電源コードＤと一次ジョイントプラグｄー１、ｄー２と、コントローラーＥ及び１２Ｖを１００Ｖに変換した装置ＦとシガレットプラグＧとを連結することで、家庭内、自動車内でも電位・温熱治療を可能にすると共に前記遠赤外線放射温熱治療と電位治療を同時に作動することで治療効果を倍増させることが出来る。【００１３】    図３は、身体に密着し保温性の高いベストＨの立面図である。ベストＨの内面部には肩部にｈー３、ｈー３のポケットにＡ、Ａのカイロ式発熱体を挿入しチャックｈｃ、ｈｃで止める。更に背中部にｈー１にもＡのカイロ式発熱体を挿入しチャックｈａで止める。又腰部ポケットｈー２には電位・温熱治療器Ｂを挿入しチャックｈｂで止める。Ｂからの電源コードＤ又はジョイント部ｄー１、ｄー２のプラグを設け歩行自由にした。
コントローラーＥ又は自動車用１２Ｖから１００Ｖへの変換装置ＦとシガレットプラグＧにより家庭内、自動車内でも電位・温熱治療を可能にすると共に、歩行のみ使用する場合はｈー２のポケット内のＢをＡに交換することで両方の用途に適応できる。
【産業上の利用可能性】
【００１４】  無コードで無電池の上１５時間も保温が可能な装置は従来からない。
従って用途は広くある。まず、釣用、運動用、農作業用、土木、建築作業用、事務用、登山用、漁業関係者用、等があり全世界中に適応できる。
【図面の簡単な説明】
【００１５】
【図１】カイロを熱源とする可撓性遠赤外線放射発熱体の斜視図である。
【図２】電位・温熱装置の斜視図である。
【図３】ベストに内設されたカイロ用発熱体と電位・温熱治療装置の立面図である。
【符号の説明】
【００１６】      Ａ…カイロを熱源とする可撓性遠赤外線放射発熱体
ａ…軟質樹脂
Ｂ…電位・温熱治療装置
ｂ…抵抗体
ｂー１、ｂー２…電極帯
ｂａ、ｂｂ…電極端子
Ｃ…カイロ
Ｃー１…カイロ用接着剤
Ｄ…電源コード
ｄー１、ｄー２、ｄー３…プラグ
Ｅ…コントローラー
Ｆ…１２Ｖから１００Ｖの変換器
Ｇ…シガレット用プラグ
Ｈ…ベスト
Ｈ１、Ｈ２…袖通し穴
ｈー１、ｈー２、ｈー３…ポケット
ｈａ、ｈｂ、ｈｃ…チャック
Ｉ…ペスト前止めチャック
【図１】
2008142491.tif 000004
【図２】
2008142491.tif 000005
【図３】
2008142491.tif 000006
【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
カイロを熱源とした発熱体において、柔軟性織布にカーボン塗料を塗布又は含浸した抵抗体の片面又は両面に、柔軟性樹脂を被着してなる抵抗体の片面に、接着剤を具備したカイロを接着固定してなるカイロを熱源とする可撓性遠赤外線放射発熱体。
【請求項２】
カイロを熱源とした発熱体において、柔軟性樹脂セラミックスの片面に接着剤を具備したカイロを接着固定してなるカイロを熱源とする可撓性遠赤外線放射発熱体。
【請求項３】
織布の両側縁部に電極帯を具備してなる基布に、カーボン塗料を塗布又は含浸し、軟質樹脂で両面披着してなるカーボン発熱体において、身体局部用治療装置として、電流による温熱治療と電位を負荷する電位治療を、家庭用でも又は自動車用でも１２Ｖから１００Ｖに変換し使用可能にすると共に、前記請求項１又は請求項２の遠赤外線熱を無コードで体感できるカイロを熱源とする遠赤外線放射熱と電位・温熱治療装置をベスト内部に内設し、電気治療とカイロを熱源とする温熱治療を交互に使用し、歩行可能にしてなる可撓性遠赤外線放射発熱体と電位・温熱との同時治療装置。
【手続補正３】
【補正対象書類名】明細書
【補正対象項目名】０００６
【補正方法】変更
【補正の内容】
【０００６】本発明は、電気を熱源とする代替品としてカイロに着目した。然し、最高発熱量が６３℃〜６９℃で低温火傷を発生させる所謂「快適さのない温度」の欠点がある。
本発明はこの問題を解決すると共に、医療機器である電位・温熱同時治療装置を提供する。
具体的には、
請求項１の如く、カイロを熱源とした発熱装置において、柔軟性織布にカーボン塗料を塗布又は含浸した抵抗体の片面又は両面に、柔軟性樹脂を被着してなる抵抗体の片面に、接着剤を具備した発熱カイロを接着固定してなるカイロを熱源とする可撓性遠赤外線放射発熱体とした。
請求項２の如く、カイロを熱源とした発熱装置において、柔軟性樹脂セラミックスの片面に接着剤を具備した発熱カイロを接着固定してなるカイロを熱源とする可撓性遠赤外線放射発熱体とした。
請求項３の如く、織布の両側縁部に電極帯を具備してなる基布に、カーボン塗料を塗布又は含浸し、軟質樹脂で両面被着してなるカーボン発熱体において、身体局部用治療装置として、電流による温熱療法と電位を負荷する電位療法を、家庭用でも自動車用でも１２Ｖから１００Ｖに変換し使用可能にすると共に、前記請求項１又は請求項２の遠赤外線熱を無コードで体感できる遠赤外線発熱体と電位・温熱治療装置をベスト内部に内設し、電気治療とカイロ熱を交互に使用し、歩行可能にしてなる可撓性遠赤外線放射発熱体と電位・温熱との同時治療装置を提供する。